(57)【要約】  トランシーバを動作させる方法は、トランシーバからの送信が干渉の検出後に停止される適応モードにおいて動作すること、クリアチャネルアセスメント（ＣＣＡ）を実施すること、ＣＣＡの結果として、所定のしきい値を上回る干渉物からのエネルギーを検出すること、および、トランシーバがデューティサイクルに従って送信期間とアイドル期間とを交互にするように構成される非適応モードに動作を切り替えることを含み得る。次いで、この方法は、エネルギー検出を実施すること、エネルギー検出の結果として、所定のしきい値を下回る干渉物からのエネルギーを後続して検出すること、および、動作を適応モードに切り替えることを含み得る。
2018507584.tif 000002
【特許請求の範囲】
【請求項１】
トランシーバを動作させる方法であって、
前記トランシーバからの送信が干渉の検出後に停止される適応モードにおいて動作すること、
クリアチャネルアセスメント（ＣＣＡ）を実施すること、
前記ＣＣＡの結果として、所定のしきい値を上回る干渉物からのエネルギーを検出すること、および
前記検出に応答して、前記トランシーバがデューティサイクルに従って送信期間とアイドル期間とを交互にするように構成される非適応モードに動作を切り替えること
を含む方法。
【請求項２】
エネルギー検出を実施すること、
エネルギー検出の結果として、前記所定のしきい値を下回る前記干渉物からの前記エネルギーを後続して検出すること、および
前記後続の検出に応答して、動作を前記適応モードに切り替えること
をさらに含む、請求項１に記載の方法。
【請求項３】
前記デューティサイクルが、少なくとも以下の式に基づいて決定され、
【数１】
2018507584.tif 000009
ただし、ＤＣは、小数としての前記デューティサイクルであり、ｄＢｍは、ミリワットデシベル単位の送信電力である、請求項１に記載の方法。
【請求項４】
前記デューティサイクルが１０％である、請求項３に記載の方法。
【請求項５】
前記デューティサイクルの各サイクルが、５０ミリ秒未満である、請求項１に記載の方法。
【請求項６】
前記干渉物が、ユニバーサルシリアルバス（ＵＳＢ）３．０デバイス、深度カメラ、またはＷＬＡＮ対応デバイスのうちの１つである、請求項１に記載の方法。
【請求項７】
前記トランシーバが、ＷＬＡＮ対応デバイスの一部である、請求項１に記載の方法。
【請求項８】
前記ＷＬＡＮ対応デバイスが、コンソールコンピューティングデバイス、モバイルコンピューティングデバイス、モバイル通信デバイス、またはパーソナルコンピュータである、請求項１に記載の方法。
【請求項９】
メモリと処理サブシステムとを備えるワイヤレスローカルエリアネットワーク（ＷＬＡＮ）対応デバイスであって、前記処理サブシステムが、ワイヤレス通信チップと、チップドライバを実行するように構成されたプロセッサとを備え、前記ワイヤレス通信チップが、トランシーバとファームウェアとを備え、前記処理サブシステムが、
送信が干渉の検出後に停止される適応モードにおいて、前記トランシーバを動作させること、
クリアチャネルアセスメント（ＣＣＡ）を実施すること、
前記ＣＣＡの結果として、所定のしきい値を上回る干渉物からのエネルギーを検出すること、および
前記検出に応答して、前記トランシーバがデューティサイクルに従って送信期間とアイドル期間とを交互にするように構成される非適応モードに動作を切り替えること
を行うように構成される、ＷＬＡＮ対応デバイス。
【請求項１０】
前記処理サブシステムが、
エネルギー検出を実施すること、
前記エネルギー検出の結果として、前記所定のしきい値を下回る前記干渉物からの前記エネルギーを後続して検出すること、および
前記後続の検出に応答して、前記トランシーバの動作を前記適応モードに切り替えること
を行うようにさらに構成される、請求項９に記載のＷＬＡＮ対応デバイス。
【請求項１１】
前記デューティサイクルが、少なくとも以下の式に基づいて決定され、
【数２】
2018507584.tif 000010
ただし、ＤＣは、小数としての前記デューティサイクルであり、ｄＢｍは、ミリワットデシベル単位の前記送信電力である、請求項９に記載のＷＬＡＮ対応デバイス。
【請求項１２】
前記デューティサイクルが１０％である、請求項１１に記載のＷＬＡＮ対応デバイス。
【請求項１３】
前記デューティサイクルの各サイクルが、５０ミリ秒未満である、請求項９に記載のＷＬＡＮ対応デバイス。
【請求項１４】
前記干渉物が、ユニバーサルシリアルバス（ＵＳＢ）３．０デバイス、深度カメラ、または第２のＷＬＡＮ対応デバイスのうちの１つである、請求項９に記載のＷＬＡＮ対応デバイス。
【請求項１５】
前記ＷＬＡＮ対応デバイスが、コンソールコンピューティングデバイス、モバイルコンピューティングデバイス、モバイル通信デバイス、またはパーソナルコンピュータである、請求項９に記載のＷＬＡＮ対応デバイス。
【発明の詳細な説明】
【背景技術】
【０００１】
[0001]  データは、ワイヤレストランシーバを装備したコンピューティングデバイス間で、ある範囲の周波数上で様々なワイヤレス送信プロトコルを使用してワイヤレス送信され得る。他の電子デバイスから発せられた送信および雑音を含む、様々な要因が、データの送信において使用される周波数スペクトルの利用可能性に影響を及ぼす。送る側のコンピューティングデバイスが、他のデバイスのそのような雑音またはデータ送信によって占有される周波数を使用して、受信側のコンピューティングデバイスにデータを送信しようと試みるとき、次いで、干渉が生じることがあり、その干渉によって、受信側のデバイスが送信を適切に受信することが困難または不可能になることがある。
【発明の概要】
【課題を解決するための手段】
【０００２】
[0002]  トランシーバを動作させる方法を提供する。この方法は、トランシーバからの送信が干渉の検出後に停止される適応モードにおいて動作すること、クリアチャネルアセスメント（ＣＣＡ）を実施すること、ＣＣＡの結果として、所定のしきい値を上回る干渉物からのエネルギーを検出すること、および、検出に応答して、トランシーバがデューティサイクルに従って送信期間とアイドル期間とを交互にするように構成される非適応モードに動作を切り替えることを含み得る。次いで、この方法は、エネルギー検出を実施すること、エネルギー検出の結果として、所定のしきい値を下回る干渉物からのエネルギーを後続して検出すること、および、後続の検出に応答して、動作を適応モードに切り替えることを含み得る。
【０００３】
[0003]  本概要を、以下で発明を実施するための形態においてさらに説明する、簡略化した形態において、概念の選択を導入するために提供する。本概要は、請求する主題の主要な特徴または必須の特徴を特定するように意図されるものではなく、また、請求する主題の範囲を限定するために本概要が使用されることも、意図されるものではない。さらに、請求する主題は、本開示のいずれかの部分で言及するいずれかまたはすべての欠点を解決する実装形態に限定されない。
【図面の簡単な説明】
【０００４】
【図１】[0004]ワイヤレスシステムにおけるＷＬＡＮ対応デバイスの一実施形態の簡略化された概略図である。
【図２】[0005]図１のワイヤレスシステムの適応モードにおける経時的なパケット送信を示すグラフである。
【図３】[0006]図１のワイヤレスシステムの非適応モードにおける経時的なパケット送信、ならびにスライディング媒体利用ウィンドウおよび周期的媒体利用ウィンドウを示すグラフである。
【図４】[0007]図１のワイヤレスシステムにおける、適応モードと非適応モードとの間の動的切替えによる、経時的なパケット送信を示すグラフである。
【図５】[0008]図１のワイヤレスシステムにおける、デューティサイクル切替えによる、経時的なパケット送信を示すグラフである。
【図６】[0009]ＷＬＡＮ対応デバイス内のトランシーバを動作させる方法の一実施形態のフローチャートである。
【図７】[0010]図１のワイヤレスシステムにおいて利用され得る、例示的なコンピューティングシステムの簡略化された概略図である。
【発明を実施するための形態】
【０００５】
[0011]  ２．４ＧＨｚ無線周波数帯域を使用する無線デバイスは、帯域の公正使用を保証するための適応性機構を含み得る。そのようなデバイスが、帯域を占有している別のデバイスの送信を検出するとき、適応性機構によって、第１のデバイスが、帯域が占有されている間に送信を中止することが可能になる。２．４ＧＨｚ帯域の公正使用は、いくつかの管轄区域においていくつかのデバイスについて規制されている。これらの管轄区域では、混雑したチャネル上の送信を調整するための１つの技法は、デバイスがチャネル上の雑音を検出し、チャネルを占有しているデバイスが送信し続ける間に、送信を止め、長いアイドル期間を遵守することである。送信デバイスが、規制によって確立されたチャネル共有様式に従う場合には、デバイスは、最終的に送信を止め、他のデバイスにスペクトルを与えることになる。しかしながら、いくつかのデバイスは、規制の公正使用様式を遵守することなく、帯域内で雑音を生じる。準拠デバイスが送信を止め、そのような非準拠デバイスにスペクトルを与える場合、非準拠デバイスは、過度に長い時間期間の間、チャネルを不当に占有し、したがって、過度に長い時間期間の間のチャネル上の雑音のために、準拠デバイスの送信が不当に抑制されるという、望ましくない結果を生じることがある。これによって、ワイヤレスリンクレベルと、ＴＣＰなどのより高いプロトコルレベルの両方において、接続が中断される結果となることがあり、それによって、デバイスの全体的なユーザエクスペリエンスが悪化する。
【０００６】
[0012]  図１は、ワイヤレスシステム１０におけるワイヤレスローカルエリアネットワーク（ＷＬＡＮ）対応デバイス１２の簡略化された概略図を示す。ＷＬＡＮ対応デバイス１２は、メモリ１４と処理サブシステム１６とを備え得る。処理サブシステム１６は、ワイヤレス通信チップ１８と、チップドライバ２２を実行するように構成されたプロセッサ２０とを備え得る。ワイヤレス通信チップ１８は、トランシーバ２４とファームウェア２６とを備え得る。トランシーバ２４は、モデム３０に接続するために、アクセスポイント２８において２．４ＧＨｚ無線周波数帯域内で送信を送り、受信するように構成され得る。モデム３０を通して、トランシーバ２４は、ワイドエリアネットワーク（WAN）３２に接続することができる。同じくＷＡＮ３２に接続されるものは、サーバ３４であり得る。
【０００７】
[0013]  処理サブシステム１６は、送信が干渉の検出後に停止される適応モードにおいて、トランシーバ２４を動作させるように構成され得る。図２は、垂直軸がパケットの送信を表し、水平軸が時間を表す、適応モードにおける経時的なパケット送信を示すグラフである。図２は、ＷＬＡＮ対応デバイス１２からの２つの送信Ｔｘを示す。ただし、帯域は、複数のデバイスによって共有され得る。処理サブシステム１６は、処理サブシステム１６が２．４ＧＨｚ帯域の現在のエネルギーレベルをチェックする、クリアチャネルアセスメント（ＣＣＡ）を実施するように構成され得る。処理サブシステム１６は、ＣＣＡの結果として、所定のしきい値を上回る干渉物からのエネルギーを検出するように構成され得る。図２では、干渉物からのエネルギーは、「干渉」として示される。干渉が検出されると、ＷＬＡＮ対応デバイスは、チャネルを空ける、すなわち、送信をやめるためのある時間量を有する。ＷＬＡＮ対応デバイスは、エネルギーレベルが低下して、所定のしきい値を下回るまで、静穏なままであり得る。この時間期間の間、肯定応答および短い制御パケットは、依然として適宜送られ得る。上述のように、適応モードにとどまり、所定のしきい値を下回るまで、干渉物が送信をやめるかまたは低減することを待つと、ＷＡＮ３２へのまたは別のデバイスへのＷＬＡＮ対応デバイス１２の接続が、たとえば、より高いレベルのプロトコルにおいて、タイムアウトのために失敗する結果となり得る。代わりに、処理サブシステム１６は、検出に応答して、トランシーバ２４がデューティサイクルに従って送信期間とアイドル期間とを交互にするように構成される非適応モードに動作を切り替えるように構成され得る。典型的には、送信期間は、１つの送信、または送信のシーケンスを備え、アイドル期間は、送信を含まない。処理サブシステム１６は、ＥＴＳＩによって与えられたアイドル期間を最小にするために、複数の送信を送信期間にグループ化するように構成され得る。ワイヤレス通信チップ１８、ファームウェア２６、またはチップドライバ２２上のハードコーディングされた命令の任意の組合せは、帯域のエネルギーレベルの監視と、トランシーバの切替えとを実施することができる。図３は、非適応モードにおける経時的なパケット送信、ならびにスライディング媒体利用（MU）ウィンドウおよび周期的ＭＵウィンドウを示すグラフである。非適応モードでは、干渉が検出されるときでも、送信Ｔｘが、「アイドル」と標示されたアイドル期間と交互になる。
【０００８】
[0014]  ＭＵウィンドウは、２．４ＧＨｚ帯域の公正使用を実施するために、時間および／または電力の総量であり得る、指定された送信量を、それ以内でＷＬＡＮ対応デバイス１２が超えることがない、所定の時間の長さであり得る。周期的ＭＵウィンドウが使用される場合、各ウィンドウは、前のウィンドウが終了した後、開始する。スライディングＭＵウィンドウが使用される場合、周期的ＭＵウィンドウの場合よりも大きいスループットを達成するために、新しいＭＵウィンドウは、前のウィンドウが終了する前に始まることができる。このようにして、送信は、エネルギーレベルが所定のしきい値を超えるとき、任意の適用可能な規制における最大許容スループットを依然として下回ったままであり得、エネルギーレベルが所定のしきい値を下回るとき、８０２．１１仕様など、任意の他の適用可能な規制におけるより高い最大許容スループットを依然として下回ったままであり得る。
【０００９】
[0015]  図４は、適応モードと非適応モードとの間の動的切替えによる、経時的なパケット送信を示すグラフである。処理サブシステム１６は、エネルギー検出を実施するように構成され得る。処理サブシステム１６は、エネルギー検出の結果として、所定のしきい値を下回る干渉物からのエネルギーを後続して検出するように構成され得る。処理サブシステム１６は、後続の検出に応答して、トランシーバの動作を適応モードに戻すように切り替えるように構成され得る。干渉が適応モードにおいて検出されるたびに、トランシーバ２４は、干渉が十分に減少するまで、非適応モードに切り替えられ得る。所与の環境下で所与の時間における大部分の送信を可能にするモードを選定することで、トランシーバ２４の効率を高めることができる。
【００１０】
[0016]  図５は、デューティサイクル切替えによる、経時的なパケット送信を示すグラフである。デューティサイクルは、ＥＴＳＩ規制下では１秒であり得る、観測期間において送信するのに費やされた合計時間の比率（パーセンテージ）として定義され得る。ＥＴＳＩはまた、送信電力と、送信電力とは無関係の絶対最大値とに応じて、５０％であり得る最大デューティサイクルを設定することもできる。ＷＬＡＮ対応デバイス１２の一実装形態では、デューティサイクルは、以下の式に従って計算され得る。
[0017]
【００１１】
【数１】
2018507584.tif 000003
[0018]  ただし、ＤＣは、小数としてのデューティサイクルであり、ｄＢｍは、ミリワットデシベル単位の送信電力である。したがって、１３ｄＢｍの送信電力は、ＥＴＳＩ規制下で可能にされた最大値である５０％のデューティサイクルに対応し得、２０ｄＢｍの送信電力は、１０％のデューティサイクルに対応し得る。言い換えれば、２０ｄＢｍにおいて送信するとき、トランシーバ２４は、時間の１０％の間に送信し、時間の９０％の間にアイドルであり得る。ＥＴＳＩは、以下の式によって、ＭＵ係数（MU）を制限することができる。
[0019]
【００１２】
【数２】
2018507584.tif 000004
[0020]  ただし、ＭＵは、非適応機器によって使用されるリソース（電力および時間）の量を定量化するための尺度であり、Ｐは、ミリワット単位の出力電力であり、ＤＣは、この場合もデューティサイクルである。０．１の最大可能ＭＵ係数を選定し、電力のためのミリワットデシベルの単位に変換し、次いでＤＣについて解くと、上記の式１が与えられ得る。
【００１３】
[0021]  一実装形態では、組み合わせられた送信期間およびアイドル期間である、デューティサイクルの各サイクルは、５０ミリ秒未満であり得る。これは、レイテンシを低減する助けになり得る。さらに、ＥＴＳＩは、最大送信期間および最小アイドル期間が等しく、３．５〜１０ミリ秒の範囲内であることを必要とし得る。したがって、効率を高めるために、送信期間は、少なくとも３．５ミリ秒であり得る。
【００１４】
[0022]  干渉物は、数例を挙げると、ユニバーサルシリアルバス（ＵＳＢ）３．０デバイス、深度カメラ、および、ワイヤレス電話、デジタル拡張コードレス通信（DECT）無線デバイス、またはロングタームエボリューション（LTE）無線デバイス、またはＢＬＵＥＴＯＯＴＨ（登録商標）デバイスなど、第２のＷＬＡＮ対応デバイスのうちの１つであり得る。ＵＳＢ３．０を使用するデバイスまたはその派生物は、一般に２．４ＧＨｚ帯域において干渉を引き起こし得る。干渉を引き起こし得る他のデバイスには、十分に近接している場合、電子レンジが含まれ得る。
【００１５】
[0023]  ＷＬＡＮ対応デバイスは、数例を挙げると、コンソールコンピューティングデバイス、セルフォンもしくは他のモバイル通信デバイス、パーソナルコンピュータ、または、ラップトップ、タブレットなどのモバイルコンピューティングデバイスなどであり得る。
【００１６】
[0024]  図６は、ＷＬＡＮ対応デバイス１２内にあり得る、トランシーバを動作させる方法のフローチャートである。方法６００の以下の説明を、上記で説明し、図１に示したワイヤレスシステム１０のソフトウェア構成要素およびハードウェア構成要素を参照しながら行う。方法６００はまた、他の好適なハードウェア構成要素およびソフトウェア構成要素を使用する他のコンテキストにおいても実施され得ることは諒解されよう。
【００１７】
[0025]  図６を参照すると、６０２で、方法６００は、トランシーバからの送信が干渉の検出後に停止される適応モードにおいて動作することを含み得る。６０４で、方法６００は、クリアチャネルアセスメント（ＣＣＡ）を実施することを含み得る。６０６で、方法６００は、ＣＣＡの結果として、所定のしきい値を上回る干渉物からのエネルギーを検出することを含み得る（「はい」）。「いいえ」の場合、方法６００は、６０２に戻り、所定のしきい値を上回る干渉が検出されておらず、ＷＬＡＮ対応デバイスが自由に送信することができるので、適応モードにおいて動作し続けることができる。６０６の「はい」から続けると、６０８で、方法６００は、検出に応答して、トランシーバがデューティサイクルに従って送信期間とアイドル期間とを交互にするように構成される非適応モードに動作を切り替えることを含み得る。６１０で、デューティサイクルは、以下の式に従って計算され得る。
[0026]
【００１８】
【数３】
2018507584.tif 000005
ただし、ＤＣは、パーセンテージとしてのデューティサイクルであり、ｄＢｍは、ミリワットデシベル単位の送信電力である。６１２で、デューティサイクルの各サイクルを意味する、全デューティサイクルは、５０ミリ秒未満であり得る。
【００１９】
[0027]  ６１４で、方法６００は、エネルギー検出を実施することを含み得る。６１６で、方法６００は、エネルギー検出の結果として、干渉物からのエネルギーが、所定のしきい値において、またはそれを上回って後続して検出されるか否かを判断することを含み得る。「いいえ」の場合、方法６００は、６０８に戻り、非適応モードにおいて動作し続けることを含み得る。代替的に、６１６で「はい」の場合、方法６００は、６１８に進み、後続の検出に応答して、動作を適応モードに切り替えることを含み得る。６１８の後、方法６００は、終了するか、またはそうでなければ６０２に戻り、動的切替えサイクルの一部として、適応モードにおいて続けることができる。このようにして、エネルギーしきい値が満たされないか、または超えられないとき、トランシーバは、適応モードにおいて動作され得、しきい値が満たされるか、または超えられるとき、トランシーバは、非適応モードにおいて動作され得る。
【００２０】
[0028]  方法６００では、干渉の発生源である干渉物は、ユニバーサルシリアルバス（ＵＳＢ）３．０デバイス、深度カメラ、および、ワイヤレス電話、デジタル拡張コードレス通信（DECT）無線デバイス、またはロングタームエボリューション（LTE）無線デバイス、またはＢＬＵＥＴＯＯＴＨ（登録商標）デバイスなど、第２のＷＬＡＮ対応デバイスのうちの１つであり得る。さらに、トランシーバは、コンソールコンピューティングデバイスである、上記で説明したＷＬＡＮ対応デバイスの一部であり得る。
【００２１】
[0029]  いくつかの実施形態では、本明細書で説明する方法およびプロセスは、１つまたは複数のコンピューティングデバイスのコンピューティングシステムに関連付けられ得る。具体的には、そのような方法およびプロセスは、コンピュータアプリケーションプログラムもしくはサービス、アプリケーションプログラミングインターフェース（API）、ライブラリ、および／または他のコンピュータプログラム製品として実装され得る。
【００２２】
[0030]  図７は、上記で説明した方法およびプロセスのうちの１つまたは複数を実行に移すことができる、コンピューティングシステム７００の非限定的な実施形態を概略的に示す。コンピューティングシステム７００を、簡略化された形態で示す。コンピューティングシステム７００は、１つまたは複数のパーソナルコンピュータ、サーバコンピュータ、タブレットコンピュータ、ホームエンターテインメントコンピュータ、ネットワークコンピューティングデバイス、ゲーミングデバイス、モバイルコンピューティングデバイス、モバイル通信デバイス（たとえば、スマートフォン）、および／または他のコンピューティングデバイスの形態をとり得る。図１のワイヤレスシステム１０は、コンピューティングシステム７００の一例であり得る。
【００２３】
[0031]  コンピューティングシステム７００は、論理サブシステム７１０と、データ保持サブシステム７１２とを含む。コンピューティングシステム７００は、任意選択により、ディスプレイサブシステム７１４、入力サブシステム７１６、通信サブシステム７１８、および／または図７に図示しない他の構成要素を含み得る。
【００２４】
[0032]  論理サブシステム７１０は、命令を実行するように構成された１つまたは複数の物理デバイスを含む。たとえば、論理サブシステムは、１つまたは複数のアプリケーション、サービス、プログラム、ルーチン、ライブラリ、オブジェクト、構成要素、データ構造、または他の論理構成体の一部である、命令を実行するように構成され得る。そのような命令は、タスクを実施し、データタイプを実装し、１つまたは複数の構成要素の状態を変換し、技術的効果を達成し、あるいはさもなければ所望の結果に達するために実装され得る。
【００２５】
[0033]  論理サブシステムは、ソフトウェア命令を実行するように構成された１つまたは複数のプロセッサを含み得る。追加または代替として、論理サブシステムは、ハードウェアまたはファームウェア命令を実行するように構成された、１つまたは複数のハードウェアまたはファームウェア論理サブシステムを含み得る。論理サブシステムのプロセッサは、シングルコアまたはマルチコアであり得、それにおいて実行される命令は、順次、並列、および／または分散処理のために構成され得る。論理サブシステムの個々の構成要素は、任意選択により、遠隔に位置し、および／または協調処理のために構成され得る、２つ以上の別個のデバイスの間で分散され得る。論理サブシステムの態様は、クラウドコンピューティング構成において構成された、遠隔アクセス可能な、ネットワーク化されたコンピューティングデバイスによって仮想化され、実行され得る。
【００２６】
[0034]  データ保持サブシステム７１２は、本明細書で説明する方法およびプロセスを実装するために、論理サブシステムによって実行可能な命令を保持するように構成された、１つまたは複数の物理デバイスを含む。そのような方法およびプロセスが実装されるとき、データ保持サブシステム７１２の状態は、たとえば、異なるデータを保持するために変換され得る。
【００２７】
[0035]  データ保持サブシステム７１２は、リムーバブルおよび／または内蔵デバイスを含み得る。データ保持サブシステム７１２は、特に、光メモリ（たとえば、CD、DVD、HD-DVD、Blu-Rayディスクなど）、半導体メモリ（たとえば、RAM、EPROM、EEPROMなど）、および／または磁気メモリ（たとえば、ハードディスクドライブ、フロッピーディスクドライブ、テープドライブ、MRAMなど）を含み得る。データ保持サブシステム７１２は、揮発性、不揮発性、ダイナミック、スタティック、読取り／書込み、読取り専用、ランダムアクセス、順次アクセス、ロケーションアドレス指定可能、ファイルアドレス指定可能、および／またはコンテンツアドレス指定可能デバイスを含み得る。
【００２８】
[0036]  データ保持サブシステム７１２が、１つまたは複数の物理デバイスを含むことは諒解されよう。しかしながら、本明細書で説明する命令の態様は、代替的に、有限持続時間の間に物理デバイスによって保持されない通信媒体（たとえば、電磁信号、光信号など）によって伝搬され得る。
【００２９】
[0037]  論理サブシステム７１０およびデータ保持サブシステム７１２の態様は、１つまたは複数のハードウェア論理構成要素に一緒に統合され得る。そのようなハードウェア論理構成要素は、たとえば、フィールドプログラマブルゲートアレイ（FPGA）、特定プログラム向け集積回路および特定用途向け集積回路（PASIC/ASIC）、特定プログラム向け標準製品および特定用途向け標準製品（PSSP/ASSP）、システムオンチップ（SOC）、ならびに複合プログラマブル論理デバイス（CPLD）を含み得る。
【００３０】
[0038]  「モジュール」、「プログラム」、および「エンジン」という用語は、特定の機能を実施するために実装されたコンピューティングシステム７００の一態様を説明するために使用され得る。場合によっては、モジュール、プログラム、またはエンジンは、データ保持サブシステム７１２によって保持された命令を実行する論理サブシステム７１０を介してインスタンス化され得る。異なるモジュール、プログラム、および／またはエンジンが、同じアプリケーション、サービス、コードブロック、オブジェクト、ライブラリ、ルーチン、ＡＰＩ、関数などからインスタンス化され得ることは理解されよう。同様に、同じモジュール、プログラム、および／またはエンジンが、異なるアプリケーション、サービス、コードブロック、オブジェクト、ルーチン、ＡＰＩ、関数などによってインスタンス化され得る。「モジュール」、「プログラム」、および「エンジン」という用語は、実行可能ファイル、データファイル、ライブラリ、ドライバ、スクリプト、データベースレコードなどの個々のものまたはグループを包含し得る。
【００３１】
[0039]  含まれるとき、ディスプレイサブシステム７１４は、データ保持サブシステム７１２によって保持されたデータの視覚表現を提示するために使用され得る。この視覚表現は、グラフィカルユーザインターフェース（GUI）の形態をとり得る。本明細書で説明する方法およびプロセスが、データ保持サブシステムによって保持されたデータを変化させ、したがって、データ保持サブシステムの状態を変換するとき、ディスプレイサブシステム７１４の状態は、下にあるデータにおける変化を視覚的に表現するように同様に変換され得る。ディスプレイサブシステム７１４は、任意のタイプの技術を仮想的に利用する１つまたは複数のディスプレイデバイスを含み得る。そのようなディスプレイデバイスを、共有されたエンクロージャ内で論理サブシステム７１０および／またはデータ保持サブシステム７１２と組み合わせることができ、あるいは、そのようなディスプレイデバイスは、周辺ディスプレイデバイスであり得る。
【００３２】
[0040]  含まれるとき、入力サブシステム７１６は、キーボード、マウス、タッチスクリーン、またはゲームコントローラなど、１つまたは複数のユーザ入力デバイスを備えるか、またはそれらとインターフェースすることができる。いくつかの実施形態では、入力サブシステムは、選択されたナチュラルユーザ入力（NUI）構成部品を備えるか、またはそれとインターフェースすることができる。そのような構成部品は、統合されるかまたは周辺装置であり得、入力アクションの変換および／または処理は、オンボードまたはオフボードで扱われ得る。
【００３３】
[0041]  含まれるとき、通信サブシステム７１８は、コンピューティングシステム７００を１つまたは複数の他のコンピューティングデバイスと通信可能に結合するように構成され得る。通信サブシステム７１８は、１つまたは複数の異なる通信プロトコルと互換性がある、ワイヤードおよび／またはワイヤレス通信デバイスを含み得る。非限定的な例として、通信サブシステムは、ワイヤレス電話ネットワーク、または、ワイヤードもしくはワイヤレスのローカルもしくはワイドエリアネットワークを介した通信のために構成され得る。いくつかの実施形態では、通信サブシステムは、コンピューティングシステム７００が、インターネットなどのネットワークを介して、他のデバイスにメッセージを送ること、および／または他のデバイスからメッセージを受信することを可能にすることができる。
【００３４】
[0042]  本明細書で説明する構成および／または手法は、本質的に例示的であること、ならびに、多数の変形形態が可能であるので、これらの特定の実施形態または例は、限定的な意味で考慮されるべきではないことは理解されよう。本明細書で説明する特定のルーチンまたは方法は、任意の数の処理戦略のうちの１つまたは複数を表し得る。したがって、例示および／または説明した様々な行為は、例示および／または説明したシーケンスにおいて、他のシーケンスにおいて、並列に実施され得るか、あるいは省略され得る。同様に、上記で説明したプロセスの順序は、変更され得る。
【００３５】
[0043]  本開示の主題は、本明細書で開示する様々なプロセス、システム、および構成、ならびに他の特徴、機能、行為、および／または特性、ならびにそれらの任意のおよびすべての均等物の、すべての新規のおよび自明でない組合せおよび部分組合せを含む。
【００３６】
[0044]  本開示の主題について、以下の段落においてさらに説明する。一態様は、トランシーバを動作させる方法であって、トランシーバからの送信が干渉の検出後に停止される適応モードにおいて動作すること、クリアチャネルアセスメント（ＣＣＡ）を実施すること、ＣＣＡの結果として、所定のしきい値を上回る干渉物からのエネルギーを検出すること、および、検出に応答して、トランシーバがデューティサイクルに従って送信期間とアイドル期間とを交互にするように構成される非適応モードに動作を切り替えることを含む、方法を提供する。この態様によれば、この方法は、エネルギー検出を実施すること、エネルギー検出の結果として、所定のしきい値を下回る干渉物からのエネルギーを後続して検出することをさらに含み得る。この態様では、この方法は、追加または代替として、後続の検出に応答して、動作を適応モードに切り替えることを含み得る。この態様では、この方法は、追加または代替として、デューティサイクルが以下の式に基づいて決定され、
【００３７】
【数４】
2018507584.tif 000006
ただし、ＤＣは、小数としてのデューティサイクルであり、ｄＢｍは、ミリワットデシベル単位の送信電力であることを含み得る。この方法は、追加または代替として、デューティサイクルが１０％であることを含み得る。この方法は、追加または代替として、デューティサイクルの各サイクルが、５０ミリ秒未満であることを含み得る。この方法は、追加または代替として、干渉物が、ユニバーサルシリアルバス（ＵＳＢ）３．０デバイス、深度カメラ、またはＷＬＡＮ対応デバイスのうちの１つであることを含み得る。この方法は、追加または代替として、トランシーバが、ＷＬＡＮ対応デバイスの一部であることを含み得る。この方法は、追加または代替として、ＷＬＡＮ対応デバイスが、コンピューティングデバイスであることを含み得る。この方法は、追加または代替として、コンピューティングデバイスが、コンソールコンピューティングデバイス、モバイルコンピューティングデバイス、モバイル通信デバイス、またはパーソナルコンピュータであることを含み得る。
【００３８】
[0045]  別の態様は、メモリと処理サブシステムとを備えるワイヤレスローカルエリアネットワーク（ＷＬＡＮ）対応デバイスであって、処理サブシステムが、ワイヤレス通信チップと、チップドライバを実行するように構成されたプロセッサとを備え、ワイヤレス通信チップが、トランシーバとファームウェアとを備え、処理サブシステムが、送信が干渉の検出後に停止される適応モードにおいて、トランシーバを動作させること、クリアチャネルアセスメント（ＣＣＡ）を実施すること、ＣＣＡの結果として、所定のしきい値を上回る干渉物からのエネルギーを検出すること、および、検出に応答して、トランシーバがデューティサイクルに従って送信期間とアイドル期間とを交互にするように構成される非適応モードに動作を切り替えることを行うように構成される、ＷＬＡＮ対応デバイスを提供する。この態様では、処理サブシステムは、エネルギー検出を実施すること、エネルギー検出の結果として、所定のしきい値を下回る干渉物からのエネルギーを後続して検出することを行うようにさらに構成され得る。この態様では、処理サブシステムは、後続の検出に応答して、トランシーバの動作を適応モードに切り替えることを行うようにさらに構成され得る。ＷＬＡＮ対応デバイスは、追加または代替として、デューティサイクルが、以下の式に基づいて決定され、
【００３９】
【数５】
2018507584.tif 000007
ただし、ＤＣは、小数としてのデューティサイクルであり、ｄＢｍは、ミリワットデシベル単位の送信電力であるように構成され得る。ＷＬＡＮ対応デバイスは、追加または代替として、デューティサイクルが１０％であることを含み得る。ＷＬＡＮ対応デバイスは、追加または代替として、デューティサイクルの各サイクルが、５０ミリ秒未満であることを含み得る。ＷＬＡＮ対応デバイスは、追加または代替として、干渉物が、ユニバーサルシリアルバス（ＵＳＢ）３．０デバイス、深度カメラ、または第２のＷＬＡＮ対応デバイスのうちの１つであることを含み得る。ＷＬＡＮ対応デバイスは、追加または代替として、ＷＬＡＮ対応デバイスが、コンソールコンピューティングデバイスであることを含み得る。ＷＬＡＮ対応デバイスは、追加または代替として、コンピューティングデバイスが、コンソールコンピューティングデバイス、モバイルコンピューティングデバイス、モバイル通信デバイス、またはパーソナルコンピュータであることを含み得る。
【００４０】
[0046]  別の態様は、メモリと処理サブシステムとを備えるワイヤレスローカルエリアネットワーク（ＷＬＡＮ）対応デバイスであって、処理サブシステムが、ワイヤレス通信チップと、チップドライバを実行するように構成されたプロセッサとを備え、ワイヤレス通信チップが、トランシーバとファームウェアとを備え、処理サブシステムが、送信が干渉の検出後に停止される適応モードにおいて、トランシーバを動作させること、クリアチャネルアセスメント（ＣＣＡ）を実施すること、ＣＣＡの結果として、所定のしきい値を上回る干渉物からのエネルギーを検出すること、検出に応答して、トランシーバがデューティサイクルに従って送信期間とアイドル期間とを交互にするように構成される非適応モードに動作を切り替えること、エネルギー検出を実施すること、エネルギー検出の結果として、所定のしきい値を下回る干渉物からのエネルギーを後続して検出すること、および、後続の検出に応答して、トランシーバの動作を適応モードに切り替えることを行うように構成され、ＷＬＡＮ対応デバイスが、コンピューティングデバイスであり、デューティサイクルが、少なくとも以下の式に基づいて決定され、
【００４１】
【数６】
2018507584.tif 000008
ただし、ＤＣは、小数としてのデューティサイクルであり、ｄＢｍは、ミリワットデシベル単位の送信電力である、ＷＬＡＮ対応デバイスを提供する。
【図１】
2018507584.tif 000011
【図２】
2018507584.tif 000012
【図３】
2018507584.tif 000013
【図４】
2018507584.tif 000014
【図５】
2018507584.tif 000015
【図６】
2018507584.tif 000016
【図７】
2018507584.tif 000017
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
トランシーバを動作させる方法であって、
前記トランシーバからの送信が干渉の検出後に停止される適応モードにおいて動作すること、
クリアチャネルアセスメント（ＣＣＡ）を実施すること、
前記ＣＣＡの結果として、所定のしきい値を上回る干渉物からのエネルギーを検出すること、
前記検出に応答して、前記トランシーバがデューティサイクルに従って送信期間とアイドル期間とを交互にするように構成される非適応モードに動作を切り替えること、
エネルギー検出を実施すること、
エネルギー検出の結果として、前記所定のしきい値を下回る前記干渉物からの前記エネルギーを後続して検出すること、および
前記後続の検出に応答して、動作を前記適応モードに切り替えること
を含む方法。
【請求項２】
前記デューティサイクルが、少なくとも以下の式に基づいて決定され、
【数１】
2018507584.tif 000018
ただし、ＤＣは、小数としての前記デューティサイクルであり、ｄＢｍは、ミリワットデシベル単位の送信電力である、請求項１に記載の方法。
【請求項３】
前記デューティサイクルが１０％である、請求項２に記載の方法。
【請求項４】
前記デューティサイクルの各サイクルが、５０ミリ秒未満である、請求項１に記載の方法。
【請求項５】
前記干渉物が、ユニバーサルシリアルバス（ＵＳＢ）３．０デバイス、深度カメラ、またはＷＬＡＮ対応デバイスのうちの１つである、請求項１に記載の方法。
【請求項６】
前記トランシーバが、ＷＬＡＮ対応デバイスの一部である、請求項１に記載の方法。
【請求項７】
前記ＷＬＡＮ対応デバイスが、コンソールコンピューティングデバイス、モバイルコンピューティングデバイス、モバイル通信デバイス、またはパーソナルコンピュータである、請求項５に記載の方法。
【請求項８】
メモリと処理サブシステムとを備えるワイヤレスローカルエリアネットワーク（ＷＬＡＮ）対応デバイスであって、前記処理サブシステムが、ワイヤレス通信チップと、チップドライバを実行するように構成されたプロセッサとを備え、前記ワイヤレス通信チップが、トランシーバとファームウェアとを備え、前記処理サブシステムが、
送信が干渉の検出後に停止される適応モードにおいて、前記トランシーバを動作させること、
クリアチャネルアセスメント（ＣＣＡ）を実施すること、
前記ＣＣＡの結果として、所定のしきい値を上回る干渉物からのエネルギーを検出すること、
前記検出に応答して、前記トランシーバがデューティサイクルに従って送信期間とアイドル期間とを交互にするように構成される非適応モードに動作を切り替えること、
エネルギー検出を実施すること、
前記エネルギー検出の結果として、前記所定のしきい値を下回る前記干渉物からの前記エネルギーを後続して検出すること、および
前記後続の検出に応答して、前記トランシーバの動作を前記適応モードに切り替えること
を行うように構成される、ＷＬＡＮ対応デバイス。
【請求項９】
前記デューティサイクルが、少なくとも以下の式に基づいて決定され、
【数２】
2018507584.tif 000019
ただし、ＤＣは、小数としての前記デューティサイクルであり、ｄＢｍは、ミリワットデシベル単位の前記送信電力である、請求項８に記載のＷＬＡＮ対応デバイス。
【請求項１０】
前記デューティサイクルが１０％である、請求項９に記載のＷＬＡＮ対応デバイス。
【請求項１１】
前記デューティサイクルの各サイクルが、５０ミリ秒未満である、請求項８に記載のＷＬＡＮ対応デバイス。
【請求項１２】
前記干渉物が、ユニバーサルシリアルバス（ＵＳＢ）３．０デバイス、深度カメラ、または第２のＷＬＡＮ対応デバイスのうちの１つである、請求項８に記載のＷＬＡＮ対応デバイス。
【請求項１３】
前記第２のＷＬＡＮ対応デバイスが、コンソールコンピューティングデバイス、モバイルコンピューティングデバイス、モバイル通信デバイス、またはパーソナルコンピュータである、請求項１２に記載のＷＬＡＮ対応デバイス。
【国際調査報告】
2018507584.tif 000020
2018507584.tif 000021
2018507584.tif 000022